(57)【特許請求の範囲】
【請求項１】
中空式の連結具本体（２０）に設けた開口部から連結用ピン（５０）を挿入し、該連結用ピン（５０）が有する弾性力を利用して前記連結具本体の係止溝（２６）に係止させることにより、前記連結具本体（２０）に連結する装身具用連結具（１０）であって、
前記連結用ピン（５０）が前記連結具本体（２０）に当接する中空式のケース（５１）とＶ字型の弾性部品（５７）とを備えており、前記Ｖ字型弾性部品の折り曲げ部（７１）を前記ケース（５１）に設けた開口部（５３）を通じて前記ケースの中空底部（５１５）まで押し当てると共に、前記Ｖ字型弾性部品の一方の側面部（７２）の端部（７２１）を前記ケース（５１）の内面部（５１１）に設けた固定部（５５）で固定することにより、前記Ｖ字型弾性部品の他方の側面部（７４）を揺動可能とした前記連結用ピン（５０）を形成することを特徴とする、装身具用連結具。
【請求項２】
請求項１に記載の装身具用連結具（１０）であって、前記Ｖ字型弾性部品（５７）の一方の側面部（７２）を前記ケースの内面部（５１１）に接触させ、前記Ｖ字型弾性部品（５７）の一方の側面部（７２）が有する前記折り曲げ部（７１）から前記端部（７２１）までの長さを、前記ケースの中空底部（５１５）から前記固定部（５５）までの長さに等しくなるように前記Ｖ字型弾性部品（５７）を形成して、前記Ｖ字型弾性部品（５７）の一方の側面部（７２）を固定することを特徴とする、装身具用連結具。
【請求項３】
請求項１又は２に記載の装身具用連結具（１０）であって、前記Ｖ字型弾性部品（５７）の他方の側面部（７４）上に係止部（５８）を設け、該係止部（５８）を、前記連結具本体（２０）の開口部（２４）内側に設けた前記係止溝（２６）に嵌合させることにより、前記連結用ピン（５０）を、前記連結具本体（２０）への連結時に固定させることを特徴とする、装身具用連結具。
【請求項４】
請求項１〜３のいずれか一項に記載の装身具用連結具（１０）であって、前記Ｖ字型弾性部品（５７）の他方の側面部（７４）から外部に突出した押ボタン（５９）を前記係止部（５８）の一方の端部（５８１）に接合するように設け、前記Ｖ字型弾性部品（５７）の他方の側面部（７４）の端部（７４１）を前記押ボタン（５９）に当接により固定することにより、前記押ボタン（５９）を用いて前記Ｖ字型弾性部品の他方の側面部（７４）を付勢により押し下げ可能とすることを特徴とする、装身具用連結具。
【請求項５】
請求項１〜４のいずれか一項に記載の装身具用連結具（１０）であって、
前記Ｖ字型弾性部品（５７）の折り曲げ部（７１）が曲線形状による丸みを有し、前記ケース（５１）の中空底部（５１５）が前記折り曲げ部（７１）の少なくとも一部分と当接して前記折り曲げ部（７１）を固定することを特徴とする、装身具用連結具。
【請求項６】
請求項４又は５に記載の装身具用連結具（１０）であって、前記押ボタン（５９）から前記Ｖ字型弾性部品（５７）の内側に延びる爪（５９１）を設け、該爪を、前記Ｖ字型弾性部品（５７）の他方の側面に向けて折り曲げ部（７１）側に折り曲げることにより、前記係止部（５８）と前記Ｖ字型弾性部品（５７）とを圧着させることを特徴とする、装身具用連結具。
【請求項７】
請求項１〜４のいずれか一項に記載の装身具用連結具（１０）であって、
前記Ｖ字型弾性部品（５７）の折り曲げ部（７１）が曲線形状による丸みを有し、前記係止部（５８）の他方の端部（６９）が前記折り曲げ部（７１）の少なくとも一部分を包み込んで当接するように形成され、前記ケース（５１）の中空底部（５１５）が前記他方の端部（６９）と当接することにより前記折り曲げ部（７１）を固定することを特徴とする、装身具用連結具。
【請求項８】
前記固定部（５５）を前記ケース（５１）の開口部（５３）の内側部分に設けた、請求項１〜７のいずれか一項に記載の装身具用連結具（１０）。
【請求項９】
請求項１〜８のいずれか一項に記載の装身具用連結具（１０）を留め金具として用いることを特徴とする装身具用連結具。
【発明の詳細な説明】
【発明の属する技術分野】
【０００１】
本発明は、ネックレス、ブレスレット、アンクレット等の環状装身具における連結具に関するものである。より具体的には、本発明は、連結具本体と連結用ピンが係合機構により簡単に係脱可能であり、且つ、装身具用連結具の連結用ピンの製造に際し、弾性部材等の部品をかしめピン等でかしめることなく容易に組み立てることを可能とする装身具用連結具に関するものである。
【背景技術】
【０００２】
環状装身具、例えばネックレスは、いわゆるクラスプ、又は引き輪、フックと称する連結具によって環状に連結されて、使用される。このような連結具の中には、例えば、特開２００２−２１９０１１号公報（特許文献１）に開示されるような板バネを利用したフックが知られている。
【０００３】
しかしながら、上記特許文献１等に示された従来技術の連結具は、例えば細い鎖等のネックレスに用いた場合、鎖の太さより連結具本体が大きくなりやすく装身具のパーツとして好ましくないという欠点があった。
【０００４】
一般的に連結具について、装身具全体のデザイン性を損なうことなく、連結具の製造に必要な部品点数を出来る限り削減し、低コストで製造可能とすることが望ましいことは言うまでもない。
【０００５】
そこで、本出願人は、上記課題を解決するために、特開２００９−９５６３７号公報（特許文献２）に開示されるような、連結具本体と連結用ピンとの係脱が容易に実現できる装身具用連結具を提案した。この特許文献２に開示される装身具用連結具は、図３Ａ及び図３Ｂに示されるような連結機構により、連結具本体と連結用ピンとの連結を実現している。図３Ａは、従来技術の装身具用連結具において、連結用ピン５を連結具本体２に挿入している連結の途中状態を、正面から見た概略透視図である。そして、図３Ｂは、従来技術の装身具用連結具において、連結具本体と連結用ピンとが連結した状態を正面から見た概略透視図である。
【０００６】
ここで、連結用ピン５は中空平板状をなし、その一部に設けた係止付押ボタン４をかしめる構造である（６）。また、係止付押ボタン４を外部に突出させるために弾性部材７を内蔵している。また、連結用ピン５に形成された係止付押ボタン４の係止部３に対して係脱可能な係止溝９を開口部の周囲にわたり形成している。
【０００７】
このように構成された従来技術の装身具用連結具の連結機構について、例えばネックレス類を首につける際には、上記図３Ａ及び図３Ｂから理解されるとおり、連結具本体２と連結用ピン５を接近させ、更に連結用ピン５を連結具本体２に押し込むことで、連結用ピン５の係止付押ボタン４が押し下げられ、連結具本体２のガイド部１１から連結具本体２の中空部分に挿入することで連結可能である。そして、連結用ピン５を連結具本体２に挿入していくと、連結具本体２のガイド部１１によって押し下げられた係止付押ボタン４は連結用ピン５に内蔵された弾性部材７によって押し上げられ、連結具本体２に形成された係止溝９に嵌合される。
【先行技術文献】
【特許文献】
【０００８】
【特許文献１】特開２００２−２１９０１１号公報
【特許文献２】特開２００９−０９５６３７号公報
【発明の概要】
【発明が解決しようとする課題】
【０００９】
しかしながら、本発明者が更に検討を重ねた結果、図３Ａ及び図３Ｂで提案したような従来技術（特許文献２）の装身具連結部品は、次のような課題を有していることが判明した。
【００１０】
特許文献２に開示される従来技術では、連結用ピン５を、その一部に設けた開口部より外部に突出した係止付押ボタン４をかしめて固定しなければならなかった（図３Ａ及び図３Ｂ）。ネックレスをはじめとする装身具の分野においては、このように必ず「かしめ」を設ける必要がある以上、各部品を組み立ててかしめピン等でかしめる作業において、微妙な力加減の調整が難しく、作業に熟練を要するという課題があり、更には、この「かしめ」を設けるために、小型化・軽量化の面で製造上の課題が残った。これに対し、このような「かしめ」を不要とするために、連結用ピン５自体をバネ等の１つの弾性部材で形成することも考えられてきた。
【００１１】
しかしながら、このように形成される連結用ピンは、上記のような係止付押ボタン４を有さない点でその強度の点で問題があり、ネックレス等の装身具に用いる連結具として用いるには機能性およびデザイン性の点で実用的なものではないという別の課題があった。
【００１２】
そのため、特許文献２に開示される従来技術を改良して、「かしめ」を設けることなく、各部品を組み立てて連結用ピン５を形成することが近年望まれてきた。
【課題を解決するための手段】
【００１３】
本発明の装身具用連結具は、上述した課題を解決するために、上記特許文献２に関連する図３Ａ及び図３Ｂに開示される装身具用連結具を改良するものであり、連結用ピン５において、Ｖ字弾性部品を用いることにより、「かしめ」を設ける必要性を除去している。
【００１４】
即ち、本発明の一実施形態による装身具用連結具は、中空式の連結具本体２０に設けた開口部から連結用ピン５０を挿入し、該連結用ピン５０が有する弾性力を利用して前記連結具本体の係止溝２６に係止させることにより連結する装身具用連結具１０を提供する。より具体的には、連結用ピン５０が連結具本体２０に当接する中空式のケース５１とＶ字型の弾性部品５７とを備えており、Ｖ字型弾性部品の折り曲げ部７１をケース５１に設けた開口部５３を通じてケースの中空底部５１５まで押し当てると共に、Ｖ字型弾性部品の一方の側面部７２の端部７２１をケース５１の開口部５３の内面部５１１（例えば、開口部内側部分）に設けた固定部５５で固定することにより、Ｖ字型弾性部品の他方の側面部７４を揺動可能とした連結用ピン５０を形成することを特徴とする。
【００１５】
特に、Ｖ字型弾性部品５７の一方の側面部７２をケースの内面部５１１に接触させ、Ｖ字型弾性部品５７の一方の側面部７２が有する折り曲げ部７１から端部７２１までの長さを、ケースの中空底部５１５から固定部５５までの長さに等しくなるようにＶ字型弾性部品５７を形成して、Ｖ字型弾性部品５７の一方の側面部７２を固定することを特徴とする。
【００１６】
更に、Ｖ字型弾性部品５７の他方の側面部７４上に係止部５８を設け、当該係止部５８を、連結具本体２０の開口部２４内側に設けた係止溝２６（２６’）に嵌合させることにより、連結用ピン５０を、連結具本体２０への連結時に固定するものである。
【発明の効果】
【００１７】
このように「かしめ」を設ける必要性を除去し、部品点数を減らした本発明の装身具用連結具、即ち、中空を有する連結具本体に連結用ピンを挿入してワンタッチで着脱可能な連結具を実現することにより、従来技術の装身具用連結具と比べてより小型化・軽量化な装身具用連結具を製造可能とするのみならず、このように製造された装身具用連結具は低コストなものとなる。
【００１８】
そして、このような本発明の装身具用連結具は、留め金具として用いることへの適用可能性を向上させるものである。
【図面の簡単な説明】
【００１９】
【図１】図１は、本発明の一実施形態による装身具用連結具において、連結具本体と連結用ピンとが連結した状態を正面から見た概略透視図である。
【図２】図２は、本発明の一実施形態による装身具用連結具において、連結用ピンを連結具本体に挿入している連結の途中状態を、正面から見た概略透視図である。
【図３Ａ】図３Ａは、従来技術の装身具用連結具において、連結用ピンを連結具本体に挿入している連結の途中状態を、正面から見た概略透視図である。
【図３Ｂ】図３Ｂは、従来技術の装身具用連結具において、連結具本体と連結用ピンとが連結した状態を正面から見た概略透視図である。
【図４】図４は、本発明の一実施形態による連結具本体の正面図である。
【図５】図５は、本発明の一実施形態による連結用ピンについて、Ｖ字型弾性部品をケースに押し込むことで形成した状態を正面から見た概略透視図である。
【図６Ａ】図６Ａは、本発明の一実施形態による連結用ピンが有する中空式のケースについての正面図である。
【図６Ｂ】図６Ｂは、本発明の一実施形態による連結用ピンが有する中空式のケースについての平面図である。
【図６Ｃ】図６Ｃは、本発明の一実施形態による連結用ピンが有する図６Ｂに対応した中空式のケースについての底面図である。
【図６Ｄ】図６Ｄは、本発明の一実施形態による連結用ピンが有する図６Ｂに対応した中空式のケースについての左側面図である。
【図７Ａ】図７Ａは、本発明の一実施形態による定常状態のＶ字型弾性部品及び係止部についての正面図である。
【図７Ｂ】図７Ｂは、本発明の一実施形態による押し下げられた状態のＶ字型弾性部品及び係止部についての正面図である。
【図７Ｃ】図７Ｃは、本発明の一実施形態によるＶ字型弾性部品及び係止部についての平面図である。
【図８】図８は、本発明の一実施例による装身具用連結具が有する係止部及びＶ字型弾性部品の変形例についての正面図である。
【図９】図９は、本発明の一実施形態による連結用ピンの変形例について、Ｖ字型弾性部品をケースに押し込むことで組み立て、形成した状態を正面から見た概略透視図である。
【図１０Ａ】図１０Ａは、本発明の一実施例による装身具用連結具が有する係止部の押ボタン底面についての正面図と底面図である。
【図１０Ｂ】図１０Ｂは、本発明の一実施例による装身具用連結具が有する係止部の押ボタン底面の変形例についての正面図と底面図である。
【図１０Ｃ】図１０Ｃは、本発明の一実施例による装身具用連結具が有する係止部の押ボタン底面の変形例についての正面図と底面図である。
【図１０Ｄ】図１０Ｄは、本発明の一実施例による装身具用連結具が有する係止部の押ボタン底面の変形例についての正面図と底面図である。
【図１１】図１１は、本発明の一実施形態による連結用ピンが有する中空式のケースの変形例についての正面図である。
【発明を実施するための形態】
【００２０】
本発明の実施形態に係る装身具用連結部品について各図面を参照しながら説明する。尚、以下の実施形態は例示に過ぎず、特許請求の範囲に記載の発明がこれに限定されるものではない。また、以下において同一の符号は同一の構成要素を示している。
【００２１】
図１は、本発明の一実施形態による装身具用連結具において、連結具本体と連結用ピンとが連結した状態を正面から見た概略透視図である。また、図２は、本発明の一実施形態による装身具用連結具において、連結用ピンを連結具本体に挿入している連結の途中状態を正面から見た概略透視図である。これら図１及び図２は、上述した従来技術の装身具用連結具を示した図３Ｂ及び図３Ａにそれぞれ対応している。
【００２２】
図示のとおり、装身具用連結具１０は、連結具本体２０及び連結用ピン５０を備え、中空式の連結具本体２０に設けた開口部から連結用ピン５０を挿入することにより連結及び固定される。尚、挿入時の動作については別途後述する。
【００２３】
以下に、この連結具本体２０及び連結用ピン５０について更にそれぞれ説明する。
図４は、本発明の一実施形態による連結具本体２０の正面図である。図示のとおり、連結部本体２０は、長軸方向の一方の端部に丸カン２２を、他方の端部に開口部２４を有している。丸カン２２は、ネックレスのチェーンや多数の珠玉を綴り通した連珠糸の端部を連結するために使用される。
【００２４】
また、連結具本体２０は円筒状であり、開口部２４の内側には、連結用ピンの挿入をガイドするためのガイド部２５（２５’）、及び後述する連結用ピン５０上に設けた係止部５８に係脱可能な係止溝２６（２６’）を開口部の周囲に３６０°にわたり設けている。即ち、連結の際には、連結用ピン５０が有する弾性力を利用して連結用ピン５０の係止部５８を係止溝２６（２６’）に嵌合させることにより、連結用ピン５０を連結具本体２０に固定することができる。
【００２５】
次いで、図５は、本発明の一実施形態による連結用ピン５０について、Ｖ字型弾性部品をケースに押し込むことで形成した状態を正面から見た概略透視図である。連結用ピンは、上記連結具本体２０に当接するための、図６Ａ、図６Ｂ及び図６Ｃに示した中空式の形状を有するケース５１、並びに図７Ａ、図７Ｂ、図７Ｃに示したＶ字型の弾性部品５７を備えている。
【００２６】
まず、図６Ａ〜図６Ｄに示される連結用ピン５０が有する中空式のケースについて説明する。図６Ａ〜図６Ｄは、この中空式ケースの正面図、平面図、底面図、及び左側面図をそれぞれ示している。この連結用ピンの中空式ケース５１は、Ｖ字型の弾性部品５７の折り曲げ部を中空内部へ挿入するための開口部５３、圧開口部５３の周縁に設けた圧入防止部５４、固定部５５、開口部の周縁から延びる切欠き５６１、及び穴５６２、並びに、上述の連結部本体の丸カン２２に対応した、圧入防止部５４に形成してある丸カン５２を備えている。
【００２７】
圧入防止部５４は、このＶ字型弾性部品５７の挿入及び嵌合を確実にするために、これらの際に支点として利用するためのものである。この圧入防止部５４を設けないとした場合、Ｖ字型弾性部品５７が跳ね上がってしまい上手くケース５１と嵌合できないことがあり、また、この圧入防止部５４の実際の製造時においても、脱泡不良といったケース５１の鋳造上の欠陥が原因でＶ字型弾性部品５７の挿入が不安定となる場合であっても、確実にＶ字型弾性部品５７を嵌合させるために必要となる部分である。
【００２８】
尚、ケース５１は、図６Ｄのとおり円筒形状でも、それ以外の形状、例えば、側面を平面又は曲面の形状としてもよい。
固定部５５は、図６Ａのとおり、ケース５１の開口部５３の内面部５１１（ここでは開口部内側部分）にＬ字型の形状で設けられるものであり、Ｖ字型弾性部品の一方の端部７２１を嵌合により確実に固定するために用いる。
【００２９】
開口部の周縁から延びる切欠き５６１は、Ｖ字型弾性部品５７の挿入の際に、このＶ字型弾性部品５７の側面部に設けた係止部５８と位置合わせして当該切欠き５６１内に挿入させるものである。
【００３０】
また、穴５６２は、中空内で固定されたＶ字型弾性部品や係止部に不具合が生じた場合に、Ｖ字型弾性部品をケース５１から取り外すために用いる。即ち、針などの先端が尖った道具を用いて穴５６２を介して外側からＶ字型弾性部品の側面部を付勢して押し込むことにより取り外すことが可能となる。
【００３１】
ここで、ケースの内面部５１１は平面であることが望ましい。また、切欠き５６１及び穴５６２は図示上では、それぞれ矩形及び円形状であるが、このような形状に限定されないことは言うまでもない。
【００３２】
次に、図７Ａ、図７Ｂ及び図７Ｃを用いて、上記ケース５１に嵌合するためのＶ字型弾性部品５７、及びこのＶ字型弾性部品５７上に設けられる係止部５８について説明する。ここで、図７Ａは、本発明の一実施形態による定常状態のＶ字型弾性部品５７及び係止部５８の正面図、図７Ｂは、押し下げた状態のＶ字型弾性部品５７及び係止部５８の正面図、並びに図７Ｃは、係止部５８の平面図をそれぞれ示している。 
【００３３】
図７Ａのとおり、Ｖ字型弾性部品５７は、２つの端部７２１及び７４１、２つの側面７２及び７４、並びにこれらの間に位置する折り曲げ部７１を備えている。また、Ｖ字型弾性部品５７の側面部７４の一方の外側上には係止部５８が設けてある。
【００３４】
更に、Ｖ字型弾性部品５７の側面部７４から外部に突出するように配置した押ボタン５９が、係止部５８の一方の端部５８１に接合するように形成されており、Ｖ字型弾性部品の側面部７４が有するＬ字型の端部７４１を、押ボタン５９に設けた溝５９２で囲いこんで固定することにより、図７Ａの左斜下向の矢印のように、この側面部７４を付勢により押し下げることを可能にする。ここで、Ｖ字型弾性部品５７の折り曲げ部７１は、ケース５１にＶ字型弾性部品５７を嵌合して組み立てた後にＶ字型弾性部品５７の弾性力を一定のものに維持するため、即ち、押ボタン５９による押し下げ動作をスムーズにするために、図７Ａのとおり曲面状に形成することが好ましい。
【００３５】
尚、当該押ボタンの形状は、図７Ｃの平面図に示すような円形状に限定されることはなく、軽量化のためにリング状（丸カン）にする等、自由な形状とすることができるのは言うまでもない。
【００３６】
更に、押ボタン５９からＶ字型弾性部品５７の内側に延びる爪５９１が設けられており、この爪を、Ｖ字型弾性部品５７の内側に向けて折り曲げ部７１側に折り曲げることにより、係止部５８とＶ字型弾性部品５７とを圧着する。これにより、係止部５８とＶ字型弾性部品５７をろう接等により接着する必要がなくなり、製造の容易化・低コスト化を可能とする。
【００３７】
これらの連結用ピン５０の形成に必要な部品を用いて形成される、組み立て後の連結用ピン５０について再度図５を用いて説明する。
図示のとおり、連結具本体２０に当接する中空式のケース５１、及びＶ字型の弾性部品５７を備える連結用ピン５０は、Ｖ字型弾性部品の折り曲げ部７１を、ケース５１に設けた開口部５３を通じてケースの中空底部５１５まで押し当てると共に、Ｖ字型弾性部品の一方の側面部７２の端部７２１をケース５１の開口部５３の内面部５１１（ここでは、開口部内側部分）に設けたＬ字型の固定部５５に固定することにより、Ｖ字型弾性部品の側面部７４を揺動可能となるように組み立てることができる。特に、当該連結用ピン５０においては、Ｖ字型弾性部品５７の側面部７２をケース５１の内面部５１１に接触させ、この側面部７２が有する折り曲げ部７１から端部７２１までの長さ（Ｌ）を、ケース５１の中空が有する深さ、即ち中空底部５１５から固定部５５までの長さに等しくなるように上記Ｖ字型弾性部品５７を形成して側面部７２を固定している。また、この際、曲線形状による丸みを有する折り曲げ部７１の少なくとも一部分がケース５１の中空底部５１５と当接することにより、折り曲げ部７１が固定される。
【００３８】
このようにＶ字型弾性部品５７の側面部７２を固定することにより、対抗する側面部７４の押し下げをより確実なものとする。そして、このように連結用ピン５０を組み立てることにより、装身具用連結具１０が備える連結用ピン５０の製造に際し、弾性部材等の部品をかしめピン等でかしめることなく容易に組み立てることを可能とする。このことは、従来の「かしめ」作業における、微妙な力加減の調整が難しく、作業に熟練を要するという課題を解決するものであり、製造を容易化することを可能にする。更には、この「かしめ」を省くことにより、十分な連結強度を保ちつつ、装身具用連結具の小型化・軽量化することを可能にする。
【００３９】
変形例
以上、本発明の一実施例による装身具用連結具を説明してきたが、更に図８〜図１１を用いてこの変形例についても説明する。
【００４０】
ここでは、上記連結用ピン５０を変形した連結用ピン５０’について説明する。より具体的には、上記係止部５８に対応する変形例の係止部５８’及び５８’’、並びに、上記ケース５１に対応した変形例のケース５１’について説明する。尚、上記Ｖ字型弾性部品５７の折り曲げ部７１が曲線形状による丸みを有する点の構成、及びそれ以外の上記連結用ピン５０の構成や上記連結具本体２０の構成については、上述したものと同一であるため、ここでの説明を省く。
【００４１】
図８は、本発明の一実施例による装身具用連結具が有する係止部及びＶ字型弾性部品の変形例についての正面図である。図示のとおり、本変形例の係止部５８’は、一方の端部に押ボタン５９が当接されており、また、他方の端部６９がＶ字型弾性部品５７の折り曲げ部７１の少なくとも一部分を包み込むような曲線形状を有し、折り曲げ部７１の少なくとも一部分と当接するように形成されている。図８では、点６９１で折り曲げ部７１と接触する。尚、このような折り曲げ部７１の少なくとも一部分を包み込む曲線の長さについては、基本的に折り曲げ部７１の形状との関係で決定される。
【００４２】
このように本変形例の係止部５８’を構成することにより、図９のとおり、Ｖ字型弾性部品５７をケースに押し込み嵌め合わせて連結用ピン５０’を組み立てる際の構成は、上述した図５の連結用ピン５０とは異なるものとなる。
【００４３】
図９は、本発明の一実施形態による連結用ピンの変形例について、Ｖ字型弾性部品をケースに押し込むことで形成した状態を正面から見た概略透視図である。上記係止部５８’の構成により、Ｖ字型弾性部品の折り曲げ部７１ではなく、この折り曲げ部７１を包み込む係止部５８’の他方の端部６９の少なくとも一部が、ケース５１の中空底部５１５と接触することになる。
【００４４】
本変形例によれば、係止部５８’をＶ字型弾性部品の折り曲げ部７１とケース５１の中空底部５１５の間で挟むようにして固定するため、係止部５８’がケースの中空底部で十分に固定される。即ち、上述した図７Ａのように、Ｖ字型弾性部品５７の他方の側面部７４の端部７４１がＬ字型を有し、この端部を押ボタン５９に設けた溝５９２で囲い込んで爪５９１を用いて固定することは必要ではなく、図９のようにＶ字型弾性部品５７の直線状の端部７４１’を押ボタン５９’下部に設けた当接部（即ち、戸当り）に単に当接させるだけで押ボタン５９’を十分に固定することができ、これにより押ボタン５９’を用いたＶ字型弾性部品５７の付勢による押し下げを可能にする。
【００４５】
尚、図９の連結用ピンを組み立てる際には、まず、押ボタン５９’を備えた係止部５８’を先にケース５１の中空に挿入して中空底部に押し当て、次いで、Ｖ字型弾性部品を挿入する。そして、Ｖ字型弾性部品の折り曲げ部７１上の点６９１で係止部５８’と接触させると共に、Ｖ字型弾性部品の端部７４１’をこの押ボタン５９’下部に設けた戸当りに当接させることにより、連結用ピンの組み立てが完了する。
【００４６】
この場合の押ボタン５９’の正面図と底面図の関係は、図１０Ａに示すとおりである。しかしながら、この更なる変形例として、図１０Ｂ〜Ｄに示すように押ボタンの底面を設けてもよい。尚、図１０Ａ〜Ｄにおいて、黒太線はＶ字型弾性部品を示す。
【００４７】
即ち、図１０Ｂのように図１０Ａの戸当りに凹形状の溝を設ける構成としてもよく、また、図１０Ｃのように、平面状の押ボタンの底面上に部分的な戸当りを設けるだけでもよい。更には、図１０Ｃのように図１０Ｂの部分的な戸当りに凹形状の溝を設ける構成としてもよい。いずれの場合も、爪を用いて固定することは不要となる。
【００４８】
爪を用いることを不要にする構造とすることにより、部品点数を削減することができ、製造の容易化・低コスト化を可能とする。
図１１は、本発明の一実施形態による連結用ピンが有するケース５１の変形例についての正面図である。変形例のケース５１’は、図６Ａに記載のケース５１と比較して、Ｌ字型の固定部５５’を、ケース５１の開口部５４内側部分ではなくケース５１’の内面部５１１の中央付近に設け、併せて、穴５６２’を設ける位置も移動している。このようにＬ字型の固定部５５’はケース内面部の任意の位置設けることができる。
【００４９】
このように、固定部５５’を（ケース５１の開口部５４内側部分ではなく）ケース５１’の内面部５１１の例えば中央付近に設けることにより、連結用ピンの押ボタンの上下運動量を大きくすることができ、このためにケース５１’の中空部分（特に開口部の幅）をより小さく（細く）することができる。これにより、ピン全体の小型化・軽量化が可能になる。
【００５０】
装身具用連結具１０の連結動作
以上の説明に基づき、最後に、留め具として用いる装身具用連結具１０について、中空式の連結具本体２０に設けた開口部から連結用ピン５０を挿入し、該連結用ピン５０が有する弾性力を利用して前記連結具本体の係止溝２６に係止させることにより連結する動作の様子を、再度、図１及び図２に基づいて説明する。
【００５１】
ネックレス類を首につける時は、図２に示されるとおり、連結具本体２０と連結用ピン５０を接近させ、この連結用ピン５０を連結具本体２０のガイド部２５、２５’に従って連結具本体２０の中空部分に挿入する。この際、連結をスムーズに行うために、連結用ピン５０の押ボタン５９を用いて、Ｖ字弾性部品５７上の係止部５８が押し下げられる。そして、連結用ピン５０を連結具本体２０に挿入していくと、このように押し下げられた押ボタン５９がガイド部１１を通過すると共に、今度は連結用ピン５０のＶ字弾性部品５７によって係止部５８が押し上げられ、図１に示すように、連結具本体２０に形成された係止溝２６（２６’）と嵌合する。
【００５２】
逆に、ネックレス類を首から外す時には連結具本体２０を保持しつつ、連結用ピン５０の圧入防止部５４に形成してある丸カン５２を利用して連結用ピン５の外側に出ている押ボタン５９をつまみ下げると、連結具本体２０の係止溝２６（２６’）から係止部３８の嵌合が外れるのでそのまま連結用ピン５０を引き抜く方向に引っ張ると抜くことができる。
【符号の説明】
【００５３】
装身具用連結具              １０
連結具本体                  ２０
連結用ピン                  ５０
丸カン                      ２２、５２
開口部                      ２４、５３
ガイド部                    ２５、２５’
係止溝                      ２６、２６’
中空式ケース                ５１
ケース底部                  ５１５
圧入防止部                  ５４
固定部                      ５５、５５’
Ｖ字型弾性部品              ５７
係止部                      ５８、５８’
係止部の端部                ５８１、６９
押ボタン                    ５９、５９’
ケースの切欠き              ５６１
ケースの穴                  ５６２、５６２’
押ボタンの爪                ５９１
押ボタンの溝                ５９２
Ｖ字型弾性部品の折り曲げ部  ７１
Ｖ字型弾性部品の側面        ７２、７４
Ｖ字型弾性部品の端部        ７２１、７４１、７４１’
【図１】
0005497854.tif 000002
【図２】
0005497854.tif 000003
【図３Ａ】
0005497854.tif 000004
【図３Ｂ】
0005497854.tif 000005
【図４】
0005497854.tif 000006
【図５】
0005497854.tif 000007
【図６Ａ】
0005497854.tif 000008
【図６Ｂ】
0005497854.tif 000009
【図６Ｃ】
0005497854.tif 000010
【図６Ｄ】
0005497854.tif 000011
【図７Ａ】
0005497854.tif 000012
【図７Ｂ】
0005497854.tif 000013
【図７Ｃ】
0005497854.tif 000014
【図８】
0005497854.tif 000015
【図９】
0005497854.tif 000016
【図１０Ａ】
0005497854.tif 000017
【図１０Ｂ】
0005497854.tif 000018
【図１０Ｃ】
0005497854.tif 000019
【図１０Ｄ】
0005497854.tif 000020
【図１１】
0005497854.tif 000021